(57)【要約】【課題】  換気パイプにも換気扇にも容易に対応することができる換気用スリーブを提供する。【解決手段】  換気用スリーブ４は、第１筒体５と、その第１筒体５が挿入される第２筒体６とからなる。ここで、前記第１筒体５には、一端側に、換気パイプ２を外側に嵌めるようにして接続可能な換気パイプ接続口５ａが設けられる。そして、他端側には、換気扇３を挿入するようにして取付可能な換気扇取付口５ｂが設けられる。そこで、第１筒体５と第２筒体６とは、第２筒体６の一端側に対して、第１筒体５を反転することでその第１筒体５の一端側または他端側が選択的に突出した状態で連結される。【選択図】  図１２
2010127489.tif 000002
【特許請求の範囲】
【請求項１】
第１筒体と、その第１筒体が内側に挿入されあるいは外側に嵌められる第２筒体とからなる換気用スリーブであって、
前記第１筒体には、一端側に、換気パイプを外側に嵌めるようにして接続可能な換気パイプ接続口が設けられ、他端側に、換気扇を挿入するようにして取付可能な換気扇取付口が設けられ、
前記第１筒体と前記第２筒体とは、連結手段により、前記第２筒体の一端側に対して、前記第１筒体を反転することでその第１筒体の一端側または他端側が選択的に突出した状態で連結されることを特徴とする、換気用スリーブ。
【請求項２】
前記連結手段は、前記第２筒体の一端側に対する前記第１筒体の突出量を調整可能となるように形成されていることを特徴とする、請求項１に記載の換気用スリーブ。
【請求項３】
前記連結手段は、前記突出量を段階的に調整可能となるように形成されていることを特徴とする、請求項２に記載の換気用スリーブ。
【請求項４】
前記連結手段は、前記第１筒体と前記第２筒体との一方に設けられた弾性係合片と、もう一方に設けられて前記弾性係合片が係合する被係合段部とにより構成されることを特徴とする、請求項１に記載の換気用スリーブ。
【請求項５】
前記第１筒体と前記第２筒体との少なくとも一方は、前記弾性係合片または前記被係合段部が、その第１筒体あるいは第２筒体の軸方向に沿って複数設けられて、それら弾性係合片と被係合段部とが、前記軸方向に段階的に相対移動可能に係合することで、前記第２筒体の一端側に対する前記第１筒体の突出量が段階的に調整可能であることを特徴とする、請求項４に記載の換気用スリーブ。
【請求項６】
前記第２筒体の一端側に対して、前記第１筒体が前記換気パイプ接続口を突出させる向きで、前記弾性係合片と前記被係合段部とは、その第１筒体を前記第２筒体側に押し進める方向には、段階的に相対移動可能に係合し、その第１筒体を前記第２筒体から離れる側に後退させる方向には、相対移動不能に係合することを特徴とする、請求項５に記載の換気用スリーブ。
【請求項７】
前記第２筒体の一端側に対して、前記第１筒体が前記換気扇取付口を突出させる向きで、前記弾性係合片と前記被係合段部とは、その第１筒体を前記第２筒体側に押し進める方向には、相対移動不能に係合し、その第１筒体を前記第２筒体から離れる側に後退させる方向には、段階的に相対移動可能に係合することを特徴とする、請求項５または６に記載の換気用スリーブ。
【請求項８】
前記弾性係合片または前記被係合段部は、前記第１筒体あるいは前記第２筒体の周方向にずれて少なくとも二種類設けられて、前記第２筒体に対して前記第１筒体を前記周方向に回動させることで、係合する前記弾性係合片と前記被係合段部との組合せが選択的に少なくとも二種類形成され、
前記弾性係合片と前記被係合段部とは、前記二種類の組合せの一方の組合せでは、前記軸方向を向く一方側には、段階的に相対移動可能に係合し、他方側には、相対移動不能に係合し、前記二種類の組合せの他方の組合せでは、前記一方側には、相対移動不能に係合し、前記他方側には、段階的に相対移動可能に係合するよう、形成されていることを特徴とする、請求項５に記載の換気用スリーブ。
【請求項９】
前記弾性係合片と前記被係合段部とが前記軸方向に段階的に相対移動可能に係合すべく、前記被係合段部は、一側もしくは他側に、前記弾性係合片が撓んでその被係合段部から離脱するためのガイド面を備え、また、
前記弾性係合片と前記被係合段部とが前記軸方向に相対移動不能に係合すべく、前記被係合段部は、他側もしくは一側に、前記弾性係合片の相対移動を制止する規制面を備えることを特徴とする、請求項６または７に記載の換気用スリーブ。
【発明の詳細な説明】
【技術分野】
【０００１】
この発明は、換気パイプと換気扇とを選択的に取り付けることができる換気用スリーブに関するものである。
【背景技術】
【０００２】
従来、壁の貫通孔に挿入される換気用スリーブがあった（例えば、特許文献１、２参照）。この換気用スリーブは、筒体を備えており、その筒体には、室内側から、換気扇の一部が内側に挿入されて取り付けられたり、接続アダプターを介して、換気パイプが取り付けられたりした。
【０００３】
【特許文献１】実開平７−１２８３４号公報
【特許文献２】特開２００２−７１１８５号公報
【発明の開示】
【発明が解決しようとする課題】
【０００４】
ところで、前記従来の換気用スリーブにあっては、換気扇を取り付ける場合には、そのまま取り付けることができるものの、換気パイプを取り付ける場合には、接続アダプターを別途用意する必要があり、その取扱いが面倒であった。
【０００５】
この発明は、上記した従来の欠点を解決するためになされたものであり、その目的とするところは、換気パイプにも換気扇にも容易に対応することができる換気用スリーブを提供することにある。
【課題を解決するための手段】
【０００６】
この発明に係る換気用スリーブは、前記目的を達成するために、次の構成からなる。すなわち、
請求項１に記載の発明に係る換気用スリーブは、第１筒体と、その第１筒体が内側に挿入されあるいは外側に嵌められる第２筒体とからなる。ここで、前記第１筒体には、一端側に、換気パイプを外側に嵌めるようにして接続可能な換気パイプ接続口が設けられ、他端側に、換気扇を挿入するようにして取付可能な換気扇取付口が設けられる。そして、前記第１筒体と前記第２筒体とは、連結手段により、前記第２筒体の一端側に対して、前記第１筒体を反転することでその第１筒体の一端側または他端側が選択的に突出した状態で連結される。
【０００７】
これにより、この換気用スリーブに、換気パイプを接続する場合には、第２筒体の一端側に対して、第１筒体をその一端側の換気パイプ接続口が突出した状態で連結しておく。そして、その換気パイプ接続口に換気パイプを接続する。また、換気扇を取り付ける場合には、第２筒体の一端側に対して、第１筒体をその他端側の換気扇取付口が突出した状態で連結しておく。そして、その換気扇取付口に換気扇を取り付ける。もっとも、この換気用スリーブに、換気パイプを接続したり換気扇を取り付けるにあたって、第２筒体に対して第１筒体を連結する前に、第１筒体に換気パイプを接続したり換気扇を取り付けたりし、その後に、第２筒体に対して第１筒体を連結しても構わない。
【０００８】
また、請求項２に記載の発明に係る換気用スリーブは、請求項１に記載の換気用スリーブにおいて、前記連結手段は、前記第２筒体の一端側に対する前記第１筒体の突出量を調整可能となるように形成される。
【０００９】
また、請求項３に記載の発明に係る換気用スリーブは、請求項２に記載の換気用スリーブにおいて、前記連結手段は、前記突出量を段階的に調整可能となるように形成される。
【００１０】
また、請求項４に記載の発明に係る換気用スリーブは、請求項１に記載の換気用スリーブにおいて、前記連結手段は、前記第１筒体と前記第２筒体との一方に設けられた弾性係合片と、もう一方に設けられて前記弾性係合片が係合する被係合段部とにより構成される。
【００１１】
また、請求項５に記載の発明に係る換気用スリーブは、請求項４に記載の換気用スリーブにおいて、前記第１筒体と前記第２筒体との少なくとも一方は、前記弾性係合片または前記被係合段部が、その第１筒体あるいは第２筒体の軸方向に沿って複数設けられて、それら弾性係合片と被係合段部とが、前記軸方向に段階的に相対移動可能に係合することで、前記第２筒体の一端側に対する前記第１筒体の突出量が段階的に調整可能である。
【００１２】
また、請求項６に記載の発明に係る換気用スリーブは、請求項５に記載の換気用スリーブにおいて、前記第２筒体の一端側に対して、前記第１筒体が前記換気パイプ接続口を突出させる向きで、前記弾性係合片と前記被係合段部とは、その第１筒体を前記第２筒体側に押し進める方向には、段階的に相対移動可能に係合し、その第１筒体を前記第２筒体から離れる側に後退させる方向には、相対移動不能に係合する。これにより、この換気用スリーブに、換気パイプを接続する場合に、換気パイプを第１筒体の換気パイプ接続口に接続し、その第１筒体を、第２筒体側に押し進めることで、弾性係合片と被係合段部とが段階的に係合し、換気パイプに段階的にテンションをかけることができ、この換気パイプのたるみを低減することができる。
【００１３】
また、請求項７に記載の発明に係る換気用スリーブは、請求項５または６に記載の換気用スリーブにおいて、前記第２筒体の一端側に対して、前記第１筒体が前記換気扇取付口を突出させる向きで、前記弾性係合片と前記被係合段部とは、その第１筒体を前記第２筒体側に押し進める方向には、相対移動不能に係合し、その第１筒体を第２筒体から離れる側に後退させる方向には、段階的に相対移動可能に係合する。これにより、この換気用スリーブに、換気扇を接続する場合に、弾性係合片と被係合段部とが係合することで、所要の長さに調整された換気用スリーブに対して、第１筒体の換気扇取付口に換気扇を挿入していったとき、弾性係合片と被係合段部とは、第１筒体を第２筒体側に押し進める方向には相対移動不能に係合しているため、第１筒体が換気扇に押されて第２筒体側に動くことがなく、第１筒体の不用意な移動を防ぐことができる。
【００１４】
また、請求項８に記載の発明に係る換気用スリーブは、請求項５に記載の換気用スリーブにおいて、前記弾性係合片または前記被係合段部は、前記第１筒体あるいは前記第２筒体の周方向にずれて少なくとも二種類設けられて、前記第２筒体に対して前記第１筒体を前記周方向に回動させることで、係合する前記弾性係合片と前記被係合段部との組合せが選択的に少なくとも二種類形成される。そして、前記弾性係合片と前記被係合段部とは、前記二種類の組合せの一方の組合せでは、前記軸方向を向く一方側には、段階的に相対移動可能に係合し、他方側には、相対移動不能に係合し、前記二種類の組合せの他方の組合せでは、前記一方側には、相対移動不能に係合し、前記他方側には、段階的に相対移動可能に係合するよう、形成される。
【００１５】
また、請求項９に記載の発明に係る換気用スリーブは、請求項６または７に記載の換気用スリーブにおいて、前記弾性係合片と前記被係合段部とが前記軸方向に段階的に相対移動可能に係合すべく、前記被係合段部は、一側もしくは他側に、前記弾性係合片が撓んでその被係合段部から離脱するためのガイド面を備える。そして、前記弾性係合片と前記被係合段部とが前記軸方向に相対移動不能に係合すべく、前記被係合段部は、他側もしくは一側に、前記弾性係合片の相対移動を制止する規制面を備える。
【発明の効果】
【００１６】
この発明に係る換気用スリーブによれば、第１筒体の一端側に換気パイプ接続口を設け、他端側に換気扇取付口を設けて、使用にあたって、その第１筒体を第２筒体に対してそのままあるいは反転して連結することで、換気パイプの接続にも換気扇の取付にも容易に対応することができる。
【発明を実施するための最良の形態】
【００１７】
以下、この発明に係る換気用スリーブを実施するための最良の形態を図面に基づいて説明する。
【００１８】
図１〜図１９は、本発明の一実施の形態を示す。図中符号１は、建物の壁である。２は、換気パイプである。３は、換気扇であって、いわゆるパイプファンからなる。４は、壁１を貫通するようにして配置される換気用スリーブである。
【００１９】
換気用スリーブ４は、第１筒体５と、その第１筒体５が内側に挿入されあるいは外側に嵌められる（図示実施の形態においては、内側に挿入される）第２筒体６とからなる。ここにおいて、第１筒体５には、一端側に、換気パイプ２を外側に嵌めるようにして接続可能な換気パイプ接続口５ａが設けられ、他端側に、換気扇３を挿入するようにして取付可能な換気扇取付口５ｂが設けられる。そこで、第１筒体５と第２筒体６とは、連結手段７により、第２筒体６の一端側に対して、第１筒体５を反転することでその第１筒体５の一端側または他端側が選択的に突出した状態で連結される。
【００２０】
ここで、前記連結手段７は、第２筒体６の一端側に対する第１筒体５の突出量を調整可能（図示実施の形態においては、段階的に調整可能）となるように形成される。
【００２１】
その一方で、連結手段７は、第１筒体５と第２筒体６との一方（図示実施の形態においては、第２筒体６）に設けられた弾性係合片８と、もう一方（図示実施の形態においては、第１筒体５）に設けられて弾性係合片８が係合する被係合段部９とにより構成される。そして、第１筒体５と第２筒体６との少なくとも一方（図示実施の形態においては、第１筒体５）は、弾性係合片８または被係合段部９（図示実施の形態においては、被係合段部９）が、その第１あるいは第２筒体５、６の軸方向Ｐに沿って複数設けられて、それら弾性係合片８と被係合段部９とが、軸方向Ｐに段階的に相対移動可能に係合することで、第２筒体６の一端側に対する第１筒体５の突出量が段階的に調整可能となっている。
【００２２】
また、弾性係合片８または被係合段部９（図示実施の形態においては、被係合段部９）は、第１あるいは第２筒体５、６（図示実施の形態においては、第１筒体５）の周方向Ｑにずれて少なくとも二種類（図示実施の形態においては、三種類）設けられて、第２筒体６に対して第１筒体５を周方向Ｑに回動させることで、係合する弾性係合片８と被係合段部９との組合せが選択的に少なくとも二種類（図示実施の形態においては、三種類）形成される。すなわち、弾性係合片８と被係合段部９とは、前記二種類（図示実施の形態においては、三種類のうちの二種類）の組合せの一方の組合せでは、軸方向Ｐを向く一方側には、段階的に相対移動可能に係合し、他方側には、相対移動不能に係合し、前記二種類の組合せの他方の組合せでは、前記一方側には、相対移動不能に係合し、前記他方側には、段階的に相対移動可能に係合するよう、形成されている。そして、三種類目の組合せでは、弾性係合片８と被係合段部９とは、軸方向Ｐを向く一方側および他方側に、相対移動不能に係合する。
【００２３】
詳細には、弾性係合片８が一種類であるのに対し、被係合段部９は、周方向Ｑにずれて、第１の被係合段部９０１と第２の被係合段部９０２と第３の被係合段部９０３との三種類設けられて、第２筒体６に対して第１筒体５を周方向Ｑに回動させることで、係合する弾性係合片８と被係合段部９との組合せが選択的に三種類形成される。そして、これら三種類の組合せのうちの二種類の組合せを、弾性係合片８と第１の被係合段部９０１との組合せ、および弾性係合片８と第２の被係合段部９０２との組合せとすると、これら二種類の組合せの一方の組合せ、例えば、弾性係合片８と第１の被係合段部９０１との組合せでは、それら弾性係合片８と第１の被係合段部９０１とは、軸方向Ｐを向く一方側には、段階的に相対移動可能に係合し、他方側には、相対移動不能に係合し、前記二種類の組合せの他方の組合せ、例えば、弾性係合片８と第２の被係合段部９０２との組合せでは、前記一方側には、相対移動不能に係合し、前記他方側には、段階的に相対移動可能に係合する。そして、弾性係合片８と第３の被係合段部９０３との組合せでは、それら弾性係合片８と第３の被係合段部９０３とは、軸方向Ｐを向く一方側および他方側に、相対移動不能に係合する。
【００２４】
より詳細には、図１２に示すように、第２筒体６の一端側に対して、第１筒体５が換気パイプ接続口５ａを突出させる向きで、弾性係合片８と第１の被係合段部９０１との組合せにおいて、それら弾性係合片８と第１の被係合段部９０１とは、その第１筒体５を第２筒体６側に押し進める方向には、段階的に相対移動可能に係合し、その第１筒体５を第２筒体６から離れる側に後退させる方向には、相対移動不能に係合する。さらに、図１３に示すように、第２筒体６の一端側に対して、第１筒体５が換気パイプ接続口５ａを突出させる向きで、弾性係合片８と第２の被係合段部９０２との組合せにおいて、それら弾性係合片８と第２の被係合段部９０２とは、その第１筒体５を第２筒体６側に押し進める方向には、相対移動不能に係合し、その第１筒体５を第２筒体６から離れる側に後退させる方向には、段階的に相対移動可能に係合する。加えて、図１４に示すように、第２筒体６の一端側に対して、第１筒体５が換気パイプ接続口５ａを突出させる向きで、弾性係合片８と第３の被係合段部９０３との組合せにおいて、それら弾性係合片８と第３の被係合段部９０３とは、その第１筒体５を第２筒体６側に押し進める方向、および第１筒体５を第２筒体６から離れる側に後退させる方向に、相対移動不能に係合する。
【００２５】
そして、図１５に示すように、第２筒体６の一端側に対して、第１筒体５が換気扇取付口５ｂを突出させる向きで、弾性係合片８と第１の被係合段部９０１との組合せにおいて、それら弾性係合片８と第１の被係合段部９０１とは、その第１筒体５を第２筒体６側に押し進める方向には、相対移動不能に係合し、その第１筒体５を第２筒体６から離れる側に後退させる方向には、段階的に相対移動可能に係合する。さらに、図１６に示すように、第２筒体６の一端側に対して、第１筒体５が換気扇取付口５ｂを突出させる向きで、弾性係合片８と第２の被係合段部９０２との組合せにおいて、それら弾性係合片８と第２の被係合段部９０２とは、その第１筒体５を第２筒体６側に押し進める方向には、段階的に相対移動可能に係合し、その第１筒体５を第２筒体６から離れる側に後退させる方向には、相対移動不能に係合する。加えて、図１７に示すように、第２筒体６の一端側に対して、第１筒体５が換気扇取付口５ｂを突出させる向きで、弾性係合片８と第３の被係合段部９０３との組合せにおいて、それら弾性係合片８と第３の被係合段部９０３とは、その第１筒体５を第２筒体６側に押し進める方向、および第１筒体５を第２筒体６から離れる側に後退させる方向に、相対移動不能に係合する。
【００２６】
具体的には、第１筒体５は、両端が開口した円筒形状であって、その一端側の換気パイプ接続口５ａに比して、他端側の換気扇取付口５ｂが、若干径大となるように形成されている。ここで、換気パイプ接続口５ａは、その基端部分に、換気扇取付口５ｂ側ほど径大となったテーパー部５ｃを有している。換気扇取付口５ｂの内径は、前記換気パイプ２に挿入されて取付可能な換気扇３を、挿入するようにして取付可能な大きさとなっている。すなわち、換気扇取付口５ｂの内径は、換気パイプ接続口５ａの外径と、略一致しており、図示実施の形態においては、換気パイプ接続口５ａにおけるテーパー部５ｃの中間位置の外径と一致している。
【００２７】
また、換気扇取付口５ｂは、この第１筒体５の大部分を占めており、この換気扇取付口５ｂの外周面に、前記被係合段部９（詳細には、第１、第２および第３の被係合段部９０１、９０２、９０３）が形成されている。これら第１、第２および第３の被係合段部９０１、９０２、９０３は、互いに第１筒体５の周方向Ｑにずれるとともに、その周方向Ｑに延びる連続した溝を構成するように形成され、かつ、第１筒体５の軸方向Ｐに沿って複数設けられている。図示実施の形態においては、第１の被係合段部９０１と第２の被係合段部９０２とが第３の被係合段部９０３を挟むように配置されている。
【００２８】
これら第１、第２および第３の被係合段部９０１、９０２、９０３は、それぞれ、第１筒体５の軸心Ｒを挟むように対向して一対設けられている（図３参照）。そして、一対設けられた、第１、第２および第３の被係合段部９０１、９０２、９０３の組みからなる被係合段部群の間は、平坦に形成されて、弾性係合片８の、軸方向Ｐを向く各側への相対移動を許容する許容部１０となっている。また、第１筒体５には、第３の被係合段部９０３に、第２筒体６における後述の窪み１６と係合する突起１１が設けられている。
【００２９】
ここにおいて、弾性係合片８と被係合段部９（詳細には、第１、第２の被係合段部９０１、９０２）とが軸方向Ｐに段階的に相対移動可能に係合すべく、被係合段部９（第１、第２の被係合段部９０１、９０２）は、軸方向Ｐの一側もしくは他側に、弾性係合片８が撓んでその被係合段部９（第１、第２の被係合段部９０１、９０２）から離脱するためのガイド面９ａを備える。そして、弾性係合片８と被係合段部９（第１、第２の被係合段部９０１、９０２）とが軸方向Ｐに相対移動不能に係合すべく、被係合段部９（第１、第２の被係合段部９０１、９０２）は、軸方向Ｐの他側もしくは一側に、弾性係合片８の相対移動を制止する規制面９ｂを備える。図示実施の形態においては、ガイド面９ａは、被係合段部９（第１、第２の被係合段部９０１、９０２）を形成する溝の、底壁面からアール状に立ち上がる側壁面からなり、また、規制面９ｂは、被係合段部９（第１、第２の被係合段部９０１、９０２）を形成する溝の、底壁面から垂直に立ち上がる側壁面からなる。
【００３０】
また、第３の被係合段部９０３においては、弾性係合片８と第３の被係合段部９０３とが軸方向Ｐに相対移動不能に係合すべく、第３の被係合段部９０３は、軸方向Ｐの一側および他側に、弾性係合片８の相対移動を制止する規制面９ｂを備える。図示実施の形態においては、この規制面９ｂは、第３の被係合段部９０３を形成する溝の、底壁面から垂直に立ち上がる側壁面からなる。
【００３１】
そして、第１筒体５には、図２に示すように、弾性係合片８と第１の被係合段部９０１との係合によって、第２筒体６に対する第１筒体５の、軸方向Ｐでの移動が許容される方向を示す印としての矢印１２が、第１の被係合段部９０１と並んで表示されている。同様に、第１筒体５には、弾性係合片８と第２の被係合段部９０２との係合によって、第２筒体６に対する第１筒体５の、軸方向Ｐでの移動が許容される方向を示す印としての矢印１３が、第２の被係合段部９０２と並んで表示されている。また、弾性係合片８と第３の被係合段部９０３との係合によって、第２筒体６に対して第１筒体５は、その軸方向Ｐを向く両方の方向への移動が制止されており、このため、第１筒体５には、制止の意味を示す印としての「固定」の文字１４が、第３の被係合段部９０３と並んで表示されている。
【００３２】
第２筒体６は、両端が開口した円筒形状をしており、その一端側に、前記弾性係合片８が、被係合段部９に対応するように一対設けられている。この弾性係合片８は、第２筒体６の周壁において、コ字状に穿たれた切込み１５によって区切られた、前記一端に向かって凸となった内側部分からなり、その先端部には、爪８ａが設けられている。この爪８ａは、第２筒体６の筒内に向かって突設されており、この第２筒体６の軸方向Ｐの一側および他側の面８ｂ、８ｂが、内周面８ｃに対して垂直となるように形成されている。そこで、この弾性係合片８と第１筒体５における被係合段部９（詳細には、第１、第２、第３の被係合段部９０１、９０２、９０３）との係合においては、この弾性係合片８の爪８ａと被係合段部９（第１、第２、第３の被係合段部９０１、９０２、９０３）とが係合することとなる。また、第２筒体６には、弾性係合片８の爪８ａの中央部分に、その爪８ａを軸方向Ｐに横切る窪み１６が設けられており（図１１参照）、弾性係合片８（詳細には、爪８ａ）と第１筒体５の第３の被係合段部９０３とが係合したとき、この窪み１６と第１筒体５に設けられた突起１１とが離脱可能に係合して、第２筒体６に対する第１筒体５の、周方向Ｑの相対移動を規制する。
【００３３】
また、第２筒体６は、その他端側に、取付のためのフランジ６ａを有している。このフランジ６ａは、方形形状をしており、第２筒体６は、このフランジ６ａを含めて一体に形成されている。そして、このフランジ６ａの適宜位置（図示実施の形態においては、四隅部分）には、ビスとか釘をねじ込んだり打ち込んだりする際の案内となる凹み６ｂ、６ｂが設けられている。
【００３４】
図１８は、この換気用スリーブ４に換気パイプ２を接続する場合の施工例を示す。また、図１９は、換気用スリーブ４に換気扇３を取り付ける場合の施工例を示す。ここにおいて、壁１は、外壁１ａ、内壁１ｂ、および当木１ｃ等からなる。ただし、図１８では、壁１は、内壁１ｂを備えていない。また、第２筒体６の他端側には、フード１７が取り付けられるが、図１９では、このフード１７は、省略されている。
【００３５】
ここで、換気用スリーブ４の施工に当たっては、第２筒体６を建物（詳細には、壁１の構成部である当木１ｃ）に固定し、その固定された第２筒体６に対して、第１筒体５を連結するように固定する。また、建物に換気用スリーブ４を固定した後に、内壁１ｂを張る際には、内壁１ｂに第１筒体５が通る孔を予め明けておき、その孔の明いた内壁１ｂを張ればよいが、その他に、以下のようにしても構わない。すなわち、建物に固定された換気用スリーブ４において、第１筒体５が内壁１ｂと干渉しないように、第２筒体６に第１筒体５を収納したり、第２筒体６からの第１筒体５の突出量を小さくしておく。そこで、内壁１ｂを張る。その後、内壁１ｂの第１筒体５と対向する位置に孔を明け、その孔を通して、第１筒体５を引き出す。なお、この第１筒体５の引出しに当たっては、適宜第１筒体５を周方向に回動させることで、第１筒体５を第２筒体６から離れる側に後退させる方向に移動可能な状態にしておく。
【００３６】
次に、以上の構成からなる換気用スリーブ４の作用効果について説明する。この換気用スリーブ４によると、換気用スリーブ４に、換気パイプ２を接続する場合には、第２筒体６の一端側に対して、第１筒体５をその一端側の換気パイプ接続口５ａが突出した状態で連結しておく（図１２〜図１４参照）。そして、その換気パイプ接続口５ａに換気パイプ２を接続する。また、換気扇３を取り付ける場合には、第２筒体６の一端側に対して、第１筒体５をその他端側の換気扇取付口５ｂが突出した状態で連結しておく（図１５〜図１７参照）。そして、その換気扇取付口５ｂに換気扇３を取り付ける。このように、第１筒体５の一端側に換気パイプ接続口５ａを設け、他端側に換気扇取付口５ｂを設けて、使用にあたって、その第１筒体５を第２筒体６に対してそのままあるいは反転して連結することで、換気パイプ２の接続にも換気扇３の取付にも容易に対応することができる。もっとも、この換気用スリーブ４に、換気パイプ２を接続したり換気扇３を取り付けるにあたって、第２筒体６に対して第１筒体５を連結する前に、第１筒体５に換気パイプ２を接続したり換気扇３を取り付けたりし、その後に、第２筒体６に対して第１筒体５を連結しても構わない。
【００３７】
また、弾性係合片８が、第１の被係合段部９０１とか第２の被係合段部９０２と係合する場合や、弾性係合片８が、許容部１０に位置する場合には、第２筒体６の一端側に対する第１筒体５の突出量を調整可能である。したがって、その突出量を無くすあるいは小さくすることで、換気用スリーブ４の長さを短くして運搬の際の嵩を減らし、この換気用スリーブ４の運搬コストを低減することができる。そして、施工の際には、前記突出量を調整することで、換気用スリーブ４を必要な長さで使用することができる。しかも、前記突出量を調整した後には、第２筒体６に対して第１筒体５を周方向Ｑに回動させて、弾性係合片８と第３の被係合段部９０３とを係合させることで、第２筒体６に対する第１筒体５の、軸方向Ｐを向く両方向への相対移動が制止される。このとき、窪み１６と突起１１とが係合して、第２筒体６に対する第１筒体５の、周方向Ｑへの相対移動が規制され、これにより、弾性係合片８と第３の被係合段部９０３との係合が保持される。
【００３８】
また、この換気用スリーブ４に、換気パイプ２を接続する場合には、換気パイプ２を第１筒体５の換気パイプ接続口５ａに接続し、弾性係合片８に第１の被係合段部９０１を合わせて、第１筒体５を、第２筒体６側に押し進めることで、弾性係合片８と第１の被係合段部９０１とが段階的に係合し、換気パイプ２に段階的にテンションをかけることができる。したがって、この換気パイプ２のたるみを低減することができる。そして、この換気用スリーブ４に、換気扇３を接続する場合には、弾性係合片８と第１の被係合段部９０１とが係合することで、所要の長さに調整された換気用スリーブ４に対して、第１筒体５の換気扇取付口５ｂに換気扇３を挿入していったとき、弾性係合片８と第１の被係合段部９０１とは、第１筒体５を第２筒体６側に押し進める方向には相対移動不能に係合している。このため、第１筒体５が換気扇３に押されて第２筒体６側に動くことがなく、第１筒体５の不用意な移動を防ぐことができる。
【００３９】
また、第１筒体５には、被係合段部９として、第１の被係合段部９０１の他に、第２の被係合段部９０２（図示実施の形態においては、さらに第３の被係合段部９０３）が設けられており、第２筒体６に対して第１筒体５を周方向Ｑに回動させて、弾性係合片８と被係合段部９との組合せを選択することで、換気用スリーブ４を状況に適した状態で使用することができる。
【００４０】
なお、本発明は、上述した実施の形態に限定されるわけではなく、その他種々の変更が可能である。例えば、第１筒体５は、第２筒体６の内側に挿入されるが、第１筒体５における被係合段部９を内周面に設け、第２筒体６において弾性係合片８の爪８ａを筒外に向けたりして、第１筒体５を第２筒体６の外側に嵌めるようにしてもよい。
【００４１】
また、弾性係合片８は、第２筒体６に設けられ、被係合段部９は、第１筒体５に設けられているが、反対に、弾性係合片８が第１筒体５に設けられ、被係合段部９が第２筒体６に設けられてもよい。
【００４２】
また、第２筒体６に対する第１筒体５の突出量を段階的に調整可能にすべく、被係合段部９を、第１あるいは第２筒体５、６の軸方向Ｐに沿って複数設けなくとも、弾性係合片８を軸方向Ｐに沿って複数設けても構わない。
【００４３】
また、第１筒体５の第３の被係合段部９０３には、突起１１が、第２筒体６の弾性係合片８には、窪み１６が設けられているが、それら突起１１と窪み１６は、別の位置に設けられても、また、第１筒体５に窪みが設けられ、第２筒体６に突起が設けられてもよい。
【００４４】
また、弾性係合片８が一種類であるのに対し、被係合段部９は、周方向Ｑにずれて、複数種類設けられているが、被係合段部９が一種類設けられるのに対し、弾性係合片８が、周方向にずれて複数種類設けられてもよい。すなわち、図２０に示すように、弾性係合片８と被係合段部９とが軸方向Ｐに段階的に相対移動可能に係合すべく、弾性係合片８（詳細には、弾性係合片８に設けられる爪８ａ）は、軸方向Ｐの一側もしくは他側に、弾性係合片８が撓んで被係合段部９から離脱するためのガイド面８ｘを備え、また、弾性係合片８と被係合段部９とが軸方向Ｐに相対移動不能に係合すべく、弾性係合片８（詳細には、爪８ａ）は、軸方向Ｐの他側もしくは一側に、被係合段部９の相対移動を制止する規制面８ｙを備える。ここで、図２０（ａ）は、第２筒体６の一端側に対し、第１筒体５を第２筒体６側に押し進める方向には、弾性係合片８としての第１の弾性係合片８０１（詳細には、爪８ａとしての第１の爪８１１）と被係合段部９とが段階的に相対移動可能に係合し、その第１筒体５を第２筒体６から離れる側に後退させる方向には、第１の弾性係合片８０１（詳細には第１の爪８１１）と被係合段部９とが相対移動不能に係合する場合である。図２０（ｂ）は、反対に、第２筒体６の一端側に対し、第１筒体５を第２筒体６側に押し進める方向には、弾性係合片８としての第２の弾性係合片８０２（詳細には、爪８ａとしての第２の爪８１２）と被係合段部９とが相対移動不能に係合し、その第１筒体５を第２筒体６から離れる側に後退させる方向には、第２の弾性係合片８０２（詳細には、第２の爪８１２）と被係合段部９とが段階的に相対移動可能に係合する場合である。なお、図２０（ｃ）は、第２筒体６の一端側に対し、第１筒体５を第２筒体６側に押し進める方向、および第１筒体５を第２筒体６から離れる側に後退させる方向に対して、弾性係合片８としての第３の弾性係合片８０３（詳細には、爪８ａとしての第３の爪８１３）と被係合段部９とが相対移動不能に係合する場合であって、第３の弾性係合片８０３（詳細には、第３の爪８１３）は、軸方向Ｐの両側に、被係合段部９の相対移動を制止する規制面８ｙを備える。
【図面の簡単な説明】
【００４５】
【図１】この発明の一実施の形態の、第１筒体の斜視図である。
【図２】同じく、第１筒体の正面図である。
【図３】同じく、図２におけるＡ−Ａ線による断面図である。
【図４】同じく、図３におけるＢ−Ｂ線による拡大断面図である。
【図５】同じく、図３におけるＣ−Ｃ線による拡大断面図である。
【図６】同じく、図３におけるＤ−Ｄ線による拡大断面図である。
【図７】同じく、第２筒体の斜視図である。
【図８】同じく、第２筒体の正面図である。
【図９】同じく、図８におけるＥ−Ｅ線による断面図である。
【図１０】同じく、図９における要部拡大図である。
【図１１】同じく、図１０におけるＦ−Ｆ線による断面図である。
【図１２】同じく、第２筒体の一端側に対して、第１筒体が換気パイプ接続口を突出させる向きで、弾性係合片と第１の被係合段部とが係合した状態を示す断面図である。
【図１３】同じく、第２筒体の一端側に対して、第１筒体が換気パイプ接続口を突出させる向きで、弾性係合片と第２の被係合段部とが係合した状態を示す断面図である。
【図１４】同じく、第２筒体の一端側に対して、第１筒体が換気パイプ接続口を突出させる向きで、弾性係合片と第３の被係合段部とが係合した状態を示す断面図である。
【図１５】同じく、第２筒体の一端側に対して、第１筒体が換気扇取付口を突出させる向きで、弾性係合片と第１の被係合段部とが係合した状態を示す断面図である。
【図１６】同じく、第２筒体の一端側に対して、第１筒体が換気扇取付口を突出させる向きで、弾性係合片と第２の被係合段部とが係合した状態を示す断面図である。
【図１７】同じく、第２筒体の一端側に対して、第１筒体が換気扇取付口を突出させる向きで、弾性係合片と第３の被係合段部とが係合した状態を示す断面図である。
【図１８】換気用スリーブに換気パイプを接続する場合の施工例を示す一部断面図である。
【図１９】換気用スリーブに換気扇を取り付ける場合の施工例を示す断面図である。
【図２０】この発明の他の実施の形態の、第１筒体と第２筒体との関係を示す要部拡大断面図である。
【符号の説明】
【００４６】
２  換気パイプ
３  換気扇
４  換気用スリーブ
５  第１筒体
５ａ  換気パイプ接続口
５ｂ  換気扇取付口
６  第２筒体
７  連結手段
８  弾性係合片
９  被係合段部
９ａ  ガイド面
９ｂ  規制面
Ｐ  軸方向
Ｑ  周方向
【図１】
2010127489.tif 000003
【図２】
2010127489.tif 000004
【図３】
2010127489.tif 000005
【図４】
2010127489.tif 000006
【図５】
2010127489.tif 000007
【図６】
2010127489.tif 000008
【図７】
2010127489.tif 000009
【図８】
2010127489.tif 000010
【図９】
2010127489.tif 000011
【図１０】
2010127489.tif 000012
【図１１】
2010127489.tif 000013
【図１２】
2010127489.tif 000014
【図１３】
2010127489.tif 000015
【図１４】
2010127489.tif 000016
【図１５】
2010127489.tif 000017
【図１６】
2010127489.tif 000018
【図１７】
2010127489.tif 000019
【図１８】
2010127489.tif 000020
【図１９】
2010127489.tif 000021
【図２０】
2010127489.tif 000022